(57)【特許請求の範囲】
【請求項１】
複数の電線を並列状態に固定した後、これらの電線を整直し、しかる後、整直した電線間及び複数の電線の最外端に壁を作った状態で複数の電線に印字を施すことを特徴とする複数電線への印字方法。
【請求項２】
複数の電線を並列状態に固定する固定装置と、複数の電線間及び複数の電線の最外端に挿入される櫛歯を有すると共に電線の長手方向に移動する整直櫛歯装置と、整直された電線間及び複数の電線の最外端に壁を形成する壁用櫛歯装置と、壁間に位置した複数の電線に印字を施す印字ユニットとを具備したことを特徴とする複数電線への印字装置。
【発明の詳細な説明】
【０００１】
【発明の属する技術分野】
本発明は、複数電線への印字方法および装置に関するものである。なお、本明細書において印字とは、電線表面に施す文字、記号、マーク等であって電線を識別するために付される全てのものをいう。
【０００２】
【従来の技術】
例えば自動車内の配線に使用されるワイヤーハーネスは、多数の電線を束ねたものであり、各電線には電線識別のための印字が施されている。
【０００３】
従来、電線に施される印字は、電線製造時に施しており、ワイヤーハーネスの組み立ては予め印字が施された電線を用いて行われていた。
【０００４】
しかし予め印字が施された電線をそれぞれ用意することは、電線種類の増加、在庫の増加等を招くという問題があった。
【０００５】
【発明が解決しようとする課題】
そこで、近年、ワイヤーハーネスの加工の途中で複数の電線に印字を施すことが考えらえている。この方法であると、予め印字が施された電線をそれぞれ用意する必要がなくなるので、電線種類の減少や在庫の減少を図ることができるという利点がある。
【０００６】
ワイヤーハーネスの加工の途中で複数の電線に印字を施すには、複数の電線を並列状態にして印字を施せばよいが、電線には曲がり癖等があり、その作業が困難であるという問題がある。
【０００７】
本発明の目的は、上記の課題を解決した複数電線への印字方法および装置を提供するものである。
【０００８】
【課題を解決するための手段】
本発明に係る複数電線への印字方法は、複数の電線を並列状態に固定した後、これらの電線を整直し、しかる後、整直した電線間及び複数の電線の最外端に壁を作った状態で複数の電線に印字を施すことを特徴とするものである。
【０００９】
また、本発明に係る複数電線への印字装置は、複数の電線を並列状態に固定する固定装置と、複数の電線間及び複数の電線の最外端に挿入される櫛歯を有すると共に電線の長手方向に移動する整直櫛歯装置と、整直された電線間及び複数の電線の最外端に壁を形成する壁用櫛歯装置と、壁間に位置した複数の電線に印字を施す印字ユニットとを具備したことを特徴とするものである。
【００１０】
上記のような、複数電線への印字方法および装置を採用することによって、複数電線への印字を容易に行うことができる。すなわち、並列に固定した電線を整直してから複数の電線に印字を施すので、複数の電線への印字を確実に行うことができる。また複数の電線間に壁を作った状態で印字を施すので、電線間での印字ミスのトラブルを防止することができる。
【００１１】
【発明の実施の形態】
以下、本発明の実施の形態を図面を参照して詳細に説明する。
図１はワイヤーハーネスの加工の途中である、複数の電線１をコネクタ２（通常圧接コネクタが使用される）に並列状態に接続した状態を示している。
【００１２】
以下、上記のように、コネクタ２に並列状態に接続された複数の電線１に印字を施す場合について工程順に説明する。
【００１３】
まず、図２に示すように、コネクタ２を固定装置３に固定する。固定装置３はコネクタ受け治具３Ａとコネクタ押さえ治具３Ｂとから構成されており、コネクタ２をコネクタ受け治具３Ａにセットすると共に、コネクタ受け治具３にセットしたコネクタ２をコネクタ押さえ治具３Ｂで押さえるものである。これによって複数の電線１は所定位置に並列状態に固定されることになる。
【００１４】
次に、図３に示すように、コネクタ２の近傍に位置した複数の電線１間及び複数の電線の最外端に、整直櫛歯装置１０を挿入する。この整直櫛歯装置１０は、複数の電線１間及び複数の電線の最外端に挿入される櫛歯１１を有したもので、電線１の下方から挿入される。
【００１５】
次に図４に示すように、整直櫛歯装置１０を、電線１の長手方向に移動させる。これによって各電線１は曲がり癖が矯正されて真っ直ぐになる。すなわち整直される。なお、整直櫛歯装置１０を電線１の長手方向に移動させる際、各電線１に張力が加わるようにする櫛歯１１の間隔を電線径と略同じくしておくことが好ましい。
なお図４と、後述の図５および図６においては、コネクタ２を固定するコネクタ受け治具３Ａとコネクタ押さえ治具３Ｂの図示を省略してある。
【００１６】
次に図５に示すように、整直された各電線１の下面にアンダープレート２０を位置させる。このアンダープレート２０は、上面に複数の電線１を支持する支持部２１が形成されていると共に、後述の壁用櫛歯装置３０の櫛歯３１を受け入れる櫛歯受入れ孔２２が形成されているものである。支持部２１は、複数の電線１の隙間及び複数の電線の最外端に対応する位置に形成されている。
【００１７】
次に図６に示すように、上記アンダープレート２０の櫛歯受入れ孔２２に、壁用櫛歯装置３０の櫛歯３１を各電線１の上面側から矢印Ａ方向に挿入する。これによって複数の電線１間及び複数の電線の最外端に壁を形成することができると共に、複数の電線１を固定することができる。壁用櫛歯装置３０の上面の電線１と対応する位置には印字用の孔３２が設けられている。
【００１８】
最後に、図６に示した印字ユニット４０を、壁用櫛歯装置３０の上面部に位置させて、印字用の孔３２を通して櫛歯３１間に位置した複数の電線１に一括して印字を施す。印字ユニット４０としては、市販されているレーザ光線を使用した印字装置等が使用できる。なお、印字は、通常、櫛歯３１間に位置した複数の電線１の全てに施すが、場合によっては櫛歯３１間に位置した複数の電線１の全てではなく、任意の複数本であってもよい。
【００１９】
なお上記の実施形態においては、本発明を、コネクタに並列状態に接続された複数の電線に適用した場合について説明したが、本発明はコネクタに接続しない複数の電線にも同様に適用できる。
【００２０】
また、複数の電線を並列状態に固定する固定装置は、実施形態の如くコネクタ受け治具とコネクタ押さえ治具に限定するものではなく、例えば電線を挟む形状のクランプ部材を用いてもよい。
【００２１】
また、整直櫛歯装置１０は、並列した電線の上方から複数の電線間及び複数の電線の最外端に挿入するようにしてもよい。
【００２２】
また、上記の実施形態においては、アンダープレートを使用したが、このアンダープレートは省略することもできる。
【００２３】
以上のように本発明によれば、並列に固定した複数の電線を整直してから、複数の電線に印字を施すので、電線への印字を確実に行うことができると共に、複数の電線間及び複数の電線の最外端に壁を作った状態で印字を施すので、複数の電線間での印字ミスのトラブルを防止することができるという利点がある。
【図面の簡単な説明】
【図１】  複数の電線をコネクタに並列状態に接続した状態を示す斜視図。
【図２】  本発明の装置で、コネクタを固定した状態を示す斜視図。
【図３】  その後、複数の電線間に整直櫛歯装置を挿入した状態を示す斜視図。
【図４】  その後、整直櫛歯装置を電線の長手方向に移動させた状態を示す斜視図。
【図５】  その後、整直された各電線の下面にアンダープレートを位置させた状態を示す斜視図。
【図６】  その後、壁用櫛歯装置を挿入する状態を示す斜視図。
【符号の説明】
１：電線
２：コネクタ
３：固定装置
１０：整直櫛歯装置
１１：櫛歯
２０：アンダープレート
２１：支持部
２２：櫛歯受入れ孔
３０：壁用櫛歯装置
３１：櫛歯
３２：印字用の孔
４０：印字ユニット
【図１】
0003710031.tif 000002
【図２】
0003710031.tif 000003
【図３】
0003710031.tif 000004
【図４】
0003710031.tif 000005
【図５】
0003710031.tif 000006
【図６】
0003710031.tif 000007